(57)【特許請求の範囲】
【請求項１】
汚物を受け止める上面開口の汚物受部を形成する便鉢と、
前記汚物受部の内壁面から突出しその先端が清水吐出口となっている清水ノズルと、
前記清水ノズルに清水を送り前記清水吐出口から前記汚物受部の内側に向けて清水を吐出させる清水供給部と、
開閉して前記清水供給部から前記清水ノズルへの清水の供給を制御する清水弁と、
前記便鉢に取り付けられ、前記清水ノズルの上方に位置する覆体と、
前記汚物受部の内壁面で前記清水吐出口よりも低い位置に設けられる満水センサと、
操作入力を行うための操作部と、
前記満水センサが出力する検出信号の入力を判定しない場合には前記操作部からの操作入力に応じて前記清水弁を開閉し、前記満水センサが出力する検出信号の入力を判定した場合には前記清水弁を閉じたままにする制御部と、
前記汚物受部の内壁面の左側及び右側で、前記清水吐出口よりも低い、満水センサと同じ位置に設けられる洗浄水吐出部と、
前記清水の移動経路とは別経路で、前記汚物受部で受け止められた汚物を含む汚水を洗浄して洗浄水を生成し当該洗浄水を前記洗浄水吐出部から吐出させる仕組みと、
を備える便器装置。
【発明の詳細な説明】
【技術分野】
【０００１】
本発明は、ストーマ（人工肛門や人工膀胱）からの汚物を受けるパウチを洗浄する機能を有する便器装置に関する。
【背景技術】
【０００２】
様々な病気及び障害のためにストーマを保有する人々（オストメイト）がいる。オストメイトは、身体にパウチ（ストーマからの汚物を受ける袋）を装着している。オストメイトは、ストーマに溜まった汚物を適宜廃棄しなければならない。
【０００３】
特許文献１には、便座が便鉢の上部に開閉自在に配設された便器に装着することができる便器用吐水装置が記載されている。この便器用吐水装置は、水洗器具と吐水ノズルとを有する。この吐水ノズルは、便座と便鉢との間に取り付けられている。
【先行技術文献】
【特許文献】
【０００４】
【特許文献１】特開２００２−１８８２００号公報
【発明の概要】
【発明が解決しようとする課題】
【０００５】
特許文献１に記載の便器用吐水装置は、既存の便器に対して後付けで装着されるものである。このため、既存の便器が設置されるトイレ空間は、後付けされる便器用吐水装置に関わる各部によって狭くなる。
【０００６】
本発明の目的は、トイレ空間を狭くすること無くパウチを洗浄する機能を有する便器装置を提供することである。
【課題を解決するための手段】
【０００７】
本発明の便器装置は、
汚物を受け止める上面開口の汚物受部を形成する便鉢と、
前記汚物受部の内壁面から突出しその先端が清水吐出口となっている清水ノズルと、
前記清水ノズルに清水を送り前記清水吐出口から前記汚物受部の内側に向けて清水を吐出させる清水供給部と、
開閉して前記清水供給部から前記清水ノズルへの清水の供給を制御する清水弁と、
前記便鉢に取り付けられ、前記清水ノズルの上方に位置する覆体と、
前記汚物受部の内壁面で前記清水吐出口よりも低い位置に設けられる満水センサと、
操作入力を行うための操作部と、
前記満水センサが出力する検出信号の入力を判定しない場合には前記操作部からの操作入力に応じて前記清水弁を開閉し、前記満水センサが出力する検出信号の入力を判定した場合には前記清水弁を閉じたままにする制御部と、
前記汚物受部の内壁面の左側及び右側で、前記清水吐出口よりも低い、満水センサと同じ位置に設けられる洗浄水吐出部と、
前記清水の移動経路とは別経路で、前記汚物受部で受け止められた汚物を含む汚水を洗浄して洗浄水を生成し当該洗浄水を前記洗浄水吐出部から吐出させる仕組み
と、を備える。
【発明の効果】
【０００８】
本発明によれば、便器装置には、予め、清水ノズル、清水供給部及び清水弁が設けてある。そして、清水ノズルは、便鉢の汚物受部の内壁面から突出して設けられていて、使用者は汚物受部の内部にパウチを位置付けて、清水ノズルから吐出される清水でパウチを洗うことができる。したがって、トイレ空間を狭くすること無くパウチを洗浄する機能を有する便器装置を提供することができる。
【図面の簡単な説明】
【０００９】
【図１】便器装置の右断面図である。
【図２】便器装置の斜視図である。
【図３】清水ノズルの斜視図である。
【図４】清水ノズルの右断面図である。
【図５】便器装置が清水及び洗浄水を吐出する仕組みを示す模式図である。
【発明を実施するための形態】
【００１０】
実施の一形態を、図１ないし図５に基づいて説明する。図１は、便器装置１０１の右断面図である。便器装置１０１は、便鉢１０２と、汚物貯留タンク１０３と、連通部１０７と、蓋ユニット２０１とを備える。
【００１１】
便鉢１０２は、ステンレス鋼で形成される。便鉢１０２は、ボウル部１０２ａと平板部１０２ｂとを有する。ボウル部１０２ａの下面は、丸みを帯びている。ボウル部１０２ａ内には、汚物受部１０４が形成される。汚物受部１０４は、上面に開口する漏斗状の内空間であり、使用者（図示せず）が排泄する汚物（図示せず）を受け止める。ボウル部１０２ａの上端からは、平板部１０２ｂが、汚物受部１０４に対して外側に広がっている。ボウル部１０２ａの後方かつ平板部１０２ｂの下方には、エアシリンダ１０９、コントロールユニット１１０、清水用電磁弁３１０等の各部（いずれも後述）を格納可能な収納空間ＳＰが形成される。なお、ここでいう「後方」とは、図１における右側方向をいう。そして、図１における左側方向を、以下の説明において「前方」ということがある。
【００１２】
蓋ユニット２０１は、便鉢１０２の上面後方（図１における右側）に取り付けられる。詳しくは、蓋ユニット２０１は、覆体としての蓋ユニット基部２０２と、便座２０３と、便座蓋２０４とを備える。蓋ユニット基部２０２は、便鉢１０２の上面後方に取り付けられている。そして、蓋ユニット基部２０２は、その一部が汚物受部１０４の上方に位置するように、前方方向に迫り出している。また、蓋ユニット基部２０２は、汚物受部１０４の上方を開閉するように、便座蓋２０４を回動自在に支持する。そして、便座２０３は、便鉢１０２の上面と便座蓋２０４との間に位置する。蓋ユニット基部２０２は、便座２０３も回動自在に支持する。
【００１３】
便鉢１０２において、汚物受部１０４の底には、タンク用開口１０５が開口する。また、汚物貯留タンク１０３は、便鉢１０２の下方に位置し、載置台１１２に載置される。汚物貯留タンク１０３の上面には、便鉢用開口１０６が開口する。便鉢用開口１０６と便鉢１０２の汚物受部１０４とは、連通部１０７により連通される。連通部１０７は、シャッタ１０８により開閉される。詳しくは、シャッタ１０８は、連通部１０７を閉止する閉止位置１０８Ａと連通部１０７を開放する開放位置１０８Ｂとの間で移動自在となっている。シャッタ１０８は、エアシリンダ１０９によって閉止位置１０８Ａと開放位置１０８Ｂとの間を動く。エアシリンダ１０９は、制御部としてのコントロールユニット１１０の制御を受けて動き、シャッタ１０８を閉止位置１０８Ａと開放位置１０８Ｂとのいずれの位置に位置付ける。コントロールユニット１１０には、操作部としてのスイッチ部ＳＷが取り付けられている。スイッチ部ＳＷは、使用者が操作入力を行うためのもので、洗浄ボタンＳＷ１と、清水吐出ボタンＳＷ２とを備える。
【００１４】
便器装置１０１の下方部分は、ケース１１１で覆われている。ケース１１１は、便鉢１０２の平板部１０２ｂの前方部分の下面と、載置台１１２の前方部分の上面との間に設けられる。ケース１１１は、取り外し自在である。ケース１１１により、使用者（図示せず）は、便鉢１０２の下面、汚物貯留タンク１０３、連通部１０７、エアシリンダ１０９、コントロールユニット１１０等が見えない。
【００１５】
図２は、便器装置１０１の斜視図である。本実施の形態の便器装置１０１は、汚物受部１０４で受け止められた汚物を含む汚水を浄化して洗浄水を生成し、この洗浄水を洗浄水吐出部１１３から吐出させて汚物受部１０４内の洗浄に用いる仕組みを用いた循環式のものである。汚水を循環して洗浄水に変えこの洗浄水を用いて汚物受部１０４を洗浄する仕組みについては図５に基づいて後述する。
【００１６】
汚物受部１０４の内壁面１０４ａには、四つの洗浄水吐出部１１３と、二つの満水センサ１１４とが設けられる。洗浄水吐出部１１３は、図２に示すように、内壁面１０４ａの左側及び右側のそれぞれに二つずつ設けられる。四つの洗浄水吐出部１１３は、いずれも同じ高さに位置する。また、満水センサ１１４は、図２に示すように、内壁面１０４ａの左側及び右側のそれぞれに一つずつ設けられる。各満水センサ１１４は、いずれも、二つの洗浄水吐出部１１３の間に位置する。満水センサ１１４は、洗浄水吐出部１１３と同じ高さに位置する。
【００１７】
いずれの洗浄水吐出部１１３も、洗浄水用ホース４０１（図５参照）を介して洗浄水タンク４０２（図５参照）に繋がっている。また、いずれの洗浄水吐出部１１３も、下方に隙間１１３ａを有している。洗浄水吐出部１１３は、洗浄水用ホース４０１からの洗浄水ＷＷ（図５も参照）を、隙間１１３ａから勢い良く噴出する。噴出した洗浄水ＷＷは、内壁面１０４ａを伝わり、この内壁面１０４ａに付着した汚物（図示せず）をこそぎ落す。洗い流された汚物は、タンク用開口１０５に向けて流れる。
【００１８】
満水センサ１１４は、汚物受部１０４に溜まった水を検出すると、コントロールユニット１１０（図１参照）に検出信号を出力する。満水センサ１１４に水が接触する場合の一例は、シャッタ１０８が閉止位置１０８Ａに位置付けられた状態でエアシリンダ１０９が故障により動かなくなる場合である。また、別の一例は、汚物やトイレットペーパー等の異物により連通部１０７が詰まってしまう場合である。コントロールユニット１１０は、満水センサ１１４からの検出信号を受けた場合、洗浄水用ホース４０１の途中に設けられた洗浄水用電磁弁４０３（図５参照）を閉じ、洗浄水用ポンプ４０４（図５参照）を停止させ、洗浄水吐出部１１３から洗浄水ＷＷが噴出しないようにする。
【００１９】
図３は、清水ノズル３０１の斜視図である。便器装置１０１は、清水ノズル３０１を備える。清水ノズル３０１は、汚物受部１０４の内壁面１０４ａで便鉢１０２の後方の箇所から前方に突出する。清水ノズル３０１は、一例として、ステンレス金属で形成される。この清水ノズル３０１は、筒部３０２とフランジ部３０３とを有する。筒部３０２は、内壁面１０４ａにおいて便器装置１０１の後方から前方に突出し、前方に向かうにつれて下方に下がるよう曲がっている。筒部３０２は概ね円筒形状をなす。筒部３０２の先端は、清水吐出口３０４となっていて、円形状に開口している。この清水吐出口３０４からは、清水ＦＷ（図１、図２参照）が吐出される。また、フランジ部３０３は、パッキン３０８を介して、汚物受部１０４の内壁面１０４ａと平行をなす向きに内壁面１０４ａに取り付けられている。
【００２０】
図４は、清水ノズル３０１の右断面図である。便鉢１０２は、汚物受部１０４の内壁面で便器装置１０１の後方で、蓋ユニット基部２０２の下方にあたる箇所に、貫通孔３０５を有する。貫通孔３０５の内径は、筒部３０２の外径と同じである。
【００２１】
清水ノズル３０１において、フランジ部３０３は、筒部３０２の前方寄りに位置する。筒部３０２におけるフランジ部３０３よりも前方の部分を、湾曲部３０２ａと呼ぶ。湾曲部３０２ａは、前述したように曲がっている。筒部３０２におけるフランジ部３０３よりも後方の部分を、真直部３０２ｂと呼ぶ。真直部３０２ｂは、真っ直ぐに延びている。この真直部３０２ｂの外周には、雌ネジ部３０２ｂａが形成されている。清水ノズル３０１は、真直部３０２ｂを貫通孔３０５の前方から挿入させることによって、便鉢１０２に取り付けられる。取り付けの際、パッキン３０８は、フランジ部３０３と汚物受部１０４の内壁面１０４ａとの間に挟まれる。また、真直部３０２ｂは、貫通孔３０５の後方に突出する。ワッシャ３０２ｂｂ及び六角ボルト３０２ｂｃは、突出している真直部３０２ｂの外周に内接させて装着される。六角ボルト３０２ｂｃは、雌ネジ部３０２ｂａに螺合し、フランジ部３０３とともに便鉢１０２における貫通孔３０５の周囲の部分を強固に挟み込む。このようにして、フランジ部３０３は、パッキン３０８を汚物受部１０４の内壁面に押し付け、貫通孔３０５の内周面と締付部材３０７の外周面との隙間に汚水が浸入することを防ぐ。このとき、清水吐出口３０４は下方に向けられる。また、清水吐出口３０４は、蓋ユニット基部２０２の下方で、蓋ユニット基部２０２の前方先端２０２ａよりも後方に位置付けられる。また、清水吐出口３０４は、洗浄水吐出部１１３及び満水センサ１１４のいずれよりも高い位置に位置付けられる。
【００２２】
貫通孔３０５に挿入された筒部３０２の真直部３０２ｂには、清水ホース３０６が取り付けられる。清水ホース３０６は、真直部３０２ｂの外周に密着する。そして、清水ホース３０６の外周には、締付部材３０７が取り付けられる。締付部材３０７は、清水ホース３０６を締め付け、清水ホース３０６を筒部３０２により一層密着させる。
【００２３】
図１に戻る。清水ホース３０６は、清水送出部３１１（図５参照）に連結している。清水送出部３１１は、清水ノズル３０１に向けて清水ＦＷを送り出す。その結果、清水ＦＷが清水吐出口３０４から汚物受部１０４の内側に向けて吐出する。ここに、清水ホース３０６と清水送出部３１１とは、清水供給部３１２（図５参照）を構成する。清水ホース３０６の途中には、清水弁としての清水用電磁弁３１０が設けられている。清水用電磁弁３１０は、コントロールユニット１１０により制御を受けて開閉し、清水送出部３１１から清水ノズル３０１への清水ＦＷの供給を制御する。
【００２４】
図５は、便器装置１０１が清水ＦＷ及び洗浄水ＷＷを吐出する仕組みを示す模式図である。便器装置１０１は、生物処理槽４０５と、濾過槽４０６と、濾過水タンク４０７と、オゾン処理槽４０８とを備える。汚物貯留タンク１０３内に溜まった汚物を含む汚水は、生物処理槽４０５に流れて有機物分解、硝化及び脱窒され、続いて濾過槽４０６に流れて固液分離されて濾過水となる。濾過水は、濾過水タンク４０７に一旦蓄えられ、その後に、オゾン処理槽４０８に入る。オゾン処理槽４０８は、濾過水を酸化により脱色する。これにより、濾過水は、洗浄水ＷＷに変化する。洗浄水ＷＷは、洗浄水タンク４０２に蓄えられる。なお、図５では、汚物貯留タンク１０３から洗浄水タンク４０２に至るまでの汚水及び濾過水の流れを矢印付き二重線で示している。そして、ここで重要なのは、本実施の形態の便器装置１０１では、汚物受部１０４の汚物を含む汚水を洗浄して洗浄水ＷＷを生成し洗浄水吐出部１１３から吐出させる場合の汚水、濾過水及び洗浄水吐出部１１３の流れる経路と、清水ＦＷの移動経路とは、別経路となっている、ということである。
【００２５】
洗浄水用ホース４０１の途中には、洗浄水用電磁弁４０３が取り付けられている。洗浄水用電磁弁４０３は、コントロールユニット１１０の制御を受けて開閉する。また、洗浄水用ホース４０１において洗浄水用電磁弁４０３と洗浄水タンク４０２との間には、洗浄水用ポンプ４０４が取り付けられている。洗浄水用ポンプ４０４は、コントロールユニット１１０の制御を受けて洗浄水タンク４０２内の洗浄水ＷＷを汲み上げ、洗浄水吐出部１１３に向けて送り出す。
【００２６】
コントロールユニット１１０は、コンピュータを内蔵し、予め格納されているプログラムに従った制御を行う。このコントロールユニット１１０は、エアシリンダ１０９、満水センサ１１４、清水用電磁弁３１０、洗浄水用電磁弁４０３、洗浄水用ポンプ４０４及びスイッチ部ＳＷのそれぞれに、配線を介して電気的に接続している。
【００２７】
コントロールユニット１１０は、満水センサ１１４からの検出信号の入力を判定していない状態でスイッチ部ＳＷの洗浄ボタンＳＷ１が押されたことを判定すると、プログラムに従って、洗浄水用電磁弁４０３を開き洗浄水用ポンプ４０４を駆動し、第１の所定時間（例えば、４秒間）の経過後に、洗浄水用電磁弁４０３を閉じ洗浄水用ポンプ４０４を停止する。その結果、洗浄水吐出部１１３は、この第１の所定時間（４秒間）の間、洗浄水ＷＷを噴出する。また、コントロールユニット１１０は、洗浄ボタンＳＷ１が押されたことを判定してから第２の所定時間（例えば、３秒間）の経過後、エアシリンダ１０９を駆動してシャッタ１０８を開放位置１０８Ｂに位置付ける。その結果、連通部１０７が開き、汚物受部１０４の底に溜まった汚物及び洗浄水ＷＷが汚物貯留タンク１０３に落下する。続いて、コントロールユニット１１０は、連通部１０７を開放してから第３の所定時間（例えば、３秒間）が経過した後、エアシリンダ１０９を駆動してシャッタ１０８を閉止位置１０８Ａに位置付ける。その結果、連通部１０７が閉じ、汚物貯留タンク１０３に落下した汚物及び洗浄水ＷＷから発する臭気が汚物受部１０４まで上昇することがなくなる。
【００２８】
ここで、コントロールユニット１１０は、満水センサ１１４からの検出信号の入力を判定している場合、スイッチ部ＳＷの洗浄ボタンＳＷ１が押されたことを判定しても、洗浄水用電磁弁４０３を開かず、洗浄水用ポンプ４０４を駆動することもない。
【００２９】
また、コントロールユニット１１０は、清水用電磁弁３１０にも、配線を介して電気的に接続している。清水用電磁弁３１０は、コントロールユニット１１０の制御を受けて開閉する。
【００３０】
コントロールユニット１１０は、満水センサ１１４からの検出信号の入力を判定していない状態でスイッチ部ＳＷの清水吐出ボタンＳＷ２が押されたことを判定すると、プログラムに従って、清水用電磁弁３１０を開く。その結果、清水ＦＷは清水ホース３０６内を清水送出部３１１から清水ノズル３０１に向けて移動し、清水吐出口３０４から吐出される。続いて、コントロールユニット１１０は、第４の所定時間（例えば、３秒間）の経過後、清水用電磁弁３１０を閉じる。そして、コントロールユニット１１０は、清水用電磁弁３１０を閉じた後、エアシリンダ１０９を駆動してシャッタ１０８を開放位置１０８Ｂに位置付けて汚物受部１０４内の清水ＦＷを汚物貯留タンク１０３に落下させる。続いて、コントロールユニット１１０は、エアシリンダ１０９を駆動してシャッタ１０８を閉止位置１０８Ａに位置付けて、連通部１０７が閉じる。
【００３１】
ここで、コントロールユニット１１０は、満水センサ１１４からの検出信号の入力を判定している場合、スイッチ部ＳＷの清水吐出ボタンＳＷ２が押されたことを判定しても、清水用電磁弁３１０を開かない。
【００３２】
使用者は、便器装置１０１に対して用を足した後、洗浄ボタンＳＷ１を押す。その結果、洗浄水吐出部１１３から洗浄水ＷＷが噴出して汚物受部１０４内の汚物が洗い流され、シャッタ１０８の開閉によって汚物が汚物貯留タンク１０３に収納される。
【００３３】
また、本実施の形態の便器装置１０１では、清水ノズル３０１が便鉢１０２の汚物受部１０４の後方に予め取り付けられ、汚物受部１０４に向けて突出している。さらに、清水ノズル３０１からは、清水ＦＷが排出される。そこで、使用者は、便器装置１０１を用いてパウチを洗浄する場合、パウチを持ってこのパウチを汚物受部１０４の内側に導き清水ノズル３０１の清水吐出口３０４の下方に位置付け、この状態で清水吐出ボタンＳＷ２を押す。その結果、清水吐出口３０４から清水ＦＷが吐出する。使用者は、この清水ＦＷを用いてパウチを洗浄することができる。
【００３４】
また、本実施の形態の便器装置１０１では、便鉢１０２の後方かつ下方に収納空間ＳＰを形成され、そこにエアシリンダ１０９やコントロールユニット１１０等の各部が収納され、ケース１１１によって覆われている。このため、使用者にとってのパウチの洗浄の行いやすさを損なわずに、便器装置１０１の全体の大きさを小さくすることが実現され、ひいては、トイレ空間を広く確保することができる。このため、本実施の形態の便器装置１０１が電車やバス、飛行機等の乗物に搭載されると、コンパクトでありながらパウチの洗浄を行う乗客にとって使い勝手の良いトイレ空間が実現される。
【００３５】
また、本実施の形態の便器装置１０１では、汚物を洗い流すための洗浄水ＷＷは循環して用いられる。一方、清水ＦＷは洗浄水ＷＷとは異なる経路で供給され、清水ノズル３０１から吐出し、汚物受部１０４に落下する。このため、汚物受部１０４内の汚物を洗い流すための水の低減化と、清水ＦＷによる衛生的なパウチの洗浄との両方が実現される。このため、本実施の形態の便器装置１０１を電車やバス、飛行機等の乗物に搭載した場合、乗り物に搭載すべき洗浄のための水の量を最小限に抑えることができる。
【００３６】
さらに、本実施の形態の便器装置１０１では、清水ノズル３０１が蓋ユニット基部２０２の下方に位置する。このため、男性の足す尿が清水ノズル３０１にかからず、パウチを衛生的に洗浄することが実現される。
【００３７】
さらに、本実施の形態の便器装置１０１では、清水ノズル３０１の清水吐出口３０４が満水センサ１１４よりも高い位置に設けられている。このため、連通部１０７が詰まる等により満水センサ１１４に水が接触することになっても、清水吐出口３０４に汚物及び洗浄水ＷＷが接触することはない。
【００３８】
なお、便鉢１０２の素材は、ステンレス鋼に限られることはない。一例として、便鉢１０２は、ステンレス鋼以外の金属で形成されてもよい。別の一例として、便鉢１０２は、樹脂で形成されても良い。
【符号の説明】
【００３９】
１０１      便器装置
１０２      便鉢
１０４      汚物受部
１０４ａ    内壁面
１１０      コントロールユニット（制御部）
１１３      洗浄水吐出部
１１４      満水センサ
２０２      蓋ユニット基部（覆体）
３０１      清水ノズル
３０４      清水吐出口
３１０      清水用電磁弁（清水弁）
３１２      清水供給部
ＳＷ        スイッチ部（操作部）
【図１】
0005582492.tif 000002
【図２】
0005582492.tif 000003
【図３】
0005582492.tif 000004
【図４】
0005582492.tif 000005
【図５】
0005582492.tif 000006